(57)【要約】【課題】屋上手摺の支持強度に優れて施工も良好に行える基礎構造を提供する。【解決手段】建物の屋上スラブ１上に、側面に突出する差し筋１２が備えられた手摺支柱基礎１１を置いた後、防水保護コンクリート４を打設して、差し筋１２を防水保護コンクリート４に埋設する。これにより、建物の屋上スラブ１上に置かれ、側面に突出する差し筋１２を備える手摺支柱基礎１１が、屋上スラブ１上に打設される防水保護コンクリート４に差し筋１２を含んで埋設されている。なお、手摺支柱基礎１１の上面には、手摺支柱２２が固定金具１５を介して取り付けられる。【選択図】図２
2007255007.tif 000002
【特許請求の範囲】
【請求項１】
建物の屋上スラブ上に置かれ、側面に突出する差し筋を備える手摺支柱基礎が、屋上スラブ上に打設される防水保護コンクリートに前記差し筋を含んで埋設されていることを特徴とする屋上手摺基礎構造。
【請求項２】
前記手摺支柱基礎の上面に、手摺支柱が固定金具を介して取り付けられることを特徴とする請求項１に記載の屋上手摺基礎構造。
【請求項３】
建物の屋上スラブ上に、側面に突出する差し筋が備えられた手摺支柱基礎を置いた後、防水保護コンクリートを打設して、前記差し筋を保護コンクリートに埋設することを特徴とする屋上手摺基礎の施工方法。
【発明の詳細な説明】
【技術分野】
【０００１】
本発明は、建物の屋上に手摺を設置するための基礎構造と、その施工方法に関する。
【背景技術】
【０００２】
建物の屋上に手摺を設置する場合、手摺の支柱埋め込み用の穴があいた基礎石を置き、その穴に手摺の支柱を差し込んでモルタルで固めたり、手摺支柱用の独立基礎（コンクリート基礎やモルタル基礎）を置いたり作製したりしていた（例えば特許文献１参照）。
【特許文献１】特開平１１−９３３６５号公報
【発明の開示】
【発明が解決しようとする課題】
【０００３】
しかし、寒冷地においては屋上のモルタルが凍結融解を起こす懸念がある。
また、高層建物の屋上では独立基礎をアンカー固定する必要があるが、従来は屋上防水施工後のヒーティング保護コンクリート上での後施工によるアンカー固定となってしまい、防水上や手摺基礎の強度向上等の面から改善が望まれる。
【０００４】
本発明の課題は、屋上手摺の支持強度に優れて施工も良好に行える基礎構造を提供することである。
【課題を解決するための手段】
【０００５】
以上の課題を解決するため、請求項１に記載の発明は、建物の屋上スラブ上に置かれ、側面に突出する差し筋を備える手摺支柱基礎が、屋上スラブ上に打設される防水保護コンクリートに前記差し筋を含んで埋設されている屋上手摺基礎構造を特徴とする。
【０００６】
請求項２に記載の発明は、請求項１に記載の屋上手摺基礎構造であって、前記手摺支柱基礎の上面に、手摺支柱が固定金具を介して取り付けられることを特徴とする。
【０００７】
請求項３に記載の発明は、建物の屋上スラブ上に、側面に突出する差し筋が備えられた手摺支柱基礎を置いた後、防水保護コンクリートを打設して、前記差し筋を保護コンクリートに埋設する施工方法を特徴とする。
【発明の効果】
【０００８】
本発明によれば、屋上スラブ上に打設した防水保護コンクリートに、手摺支柱基礎の側面に突出した差し筋が埋設されているため、屋上手摺の支持強度に優れたものとなる。
また、防水保護コンクリートの打設で手摺支柱基礎も同時に固定できるため、施工の面でも簡単で良好なものとなる。
【発明を実施するための最良の形態】
【０００９】
以下、図を参照して本発明を実施するための最良の形態を詳細に説明する。
図１から図４は本発明を適用した一実施形態の構成を示すもので、１は屋上スラブ、２はアスファルト防水層、３は均しモルタル、４は防水保護コンクリート、５はメッシュ筋、６は防水絶縁シート、１１は手摺支柱基礎、１２は差し筋、１３は固定用アンカーボルト、１５は手摺支柱固定金具、１６はナット、１７は支柱固定ボルト、２１は屋上手摺、２２は手摺支柱、２３は笠木、２４は手摺子、２５は横桟、２６は手摺控え、３１は手摺控え基礎、３５は手摺控え支持金具、３６はナットである。
【００１０】
図２に示すように、屋上スラブ１には、防水処理によるアスファルト防水層２が形成され、その上の防水絶縁シート６の適所に均しモルタル３を介して手摺支柱基礎１１が載せられている。
手摺支柱基礎１１は、差し筋１２が四方の側面から突出したブロック状のプレキャストコンクリート基礎であり、上面の対をなす固定用アンカーボルト１３に手摺支柱固定金具１５が両側をナット１６で固定されている。固定用アンカーボルト１３は、プレキャストコンクリート基礎（手摺支柱基礎）１１に後打ちすることにより位置修正が容易に可能である。なお、手摺支柱固定金具１５には、上下の支柱固定ボルト１７が組み付けられている。
【００１１】
屋上手摺２１は、手摺支柱２２、笠木２３、手摺子２４、横桟２５及び手摺控え２６により構成されている。
手摺控え基礎３１は、手摺支柱基礎１１と同様に、図示しない差し筋が四方の側面から突出したブロック状のコンクリート基礎であり、上面の対をなす図示しない固定用アンカーボルトに手摺控え支持金具３５が両側をナット３６で固定されている。なお、手摺控え支持金具３５には、控え支持ピン３７が組み付けられている。
この手摺控え基礎３１も、手摺支柱基礎１１と同様に、図示しないが、屋上スラブ１のアスファルト防水層２の上の防水絶縁シート６の適所に均しモルタル３を介して載せられている。
【００１２】
以上の手摺支柱基礎１１及び手摺控え基礎３１は、図２に示したように、アスファルト防水層２及び防水絶縁シート６の上に打設される防水保護コンクリート４に差し筋１２を含むほぼ下半部が埋設されている。
なお、防水保護コンクリート４の内部には、差し筋１２より高い位置にメッシュ筋５が埋設されている。
【００１３】
そして、手摺支柱基礎１１上の手摺支柱固定金具１５に手摺支柱２２の下端部が挿入されて上下の支柱固定ボルト１７で固定されている。
また、手摺控え基礎３１の手摺控え支持金具３５に手摺控え２６の下端部が控え支持ピン３７により連結されている。
【００１４】
このように、屋上スラブ１のアスファルト防水層２及び防水絶縁シート６上に打設した防水保護コンクリート４に、手摺支柱基礎１１及び手摺控え基礎３１の側面に突出した差し筋１２を埋設することで、防水上良好で、支持強度に優れた屋上手摺２１を設置できる。
また、防水保護コンクリート４の打設で手摺支柱基礎１１及び手摺控え基礎３１も同時に固定できることから、簡単に施工できる。
そして、手摺支柱２２を手摺支柱基礎１１上の手摺支柱固定金具１５に支柱固定ボルト１７で固定し、手摺控え２６を手摺控え基礎３１の手摺控え支持金具３５に控え支持ピン３７で連結するので、従来のモルタルによる凍結融解を起こす懸念を解消できる。
【００１５】
図５はコーナー部用の手摺支柱固定金具１５を示したもので、この手摺支柱固定金具１５は、図示のように、ナット１６による固定部を直角方向に配したものである。なお、手摺支柱基礎１１には固定用アンカーボルト１３が直角方向に配されている。
【００１６】
図６は手摺支柱固定金具１５の他の配置例を示したもので、図示のように、手摺支柱固定金具１５を手摺支柱基礎１１の上面の傾斜面と直角方向に配したものである。
このように、手摺支柱固定金具１５の構成を変更したり配置を変更したり、あるいは、手摺支柱基礎１１の構成を変更しても良い。
【００１７】
なお、以上の実施形態では、手摺控えに対応して手摺控え基礎を使用したが、手摺控えがない場合は手摺支柱基礎を使用するだけで良い。
また、実施形態の他、手摺支柱基礎の形状や手摺支柱の固定金具の具体的な細部構造等について適宜に変更可能であることは勿論である。
【図面の簡単な説明】
【００１８】
【図１】本発明を適用した一実施形態の構成を示すもので、屋上手摺の設置例を示した概略側面図である。
【図２】図１の手摺支柱基礎部分の要部縦断面図である。
【図３】手摺支柱基礎の平面図である。
【図４】手摺控え基礎を示した平面図である。
【図５】コーナー部用の手摺支柱固定金具を示した平面図である。
【図６】手摺支柱固定金具の他の配置例を示した側面図である。
【符号の説明】
【００１９】
１  屋上スラブ
２  アスファルト防水層
３  均しモルタル
４  防水保護コンクリート
５  メッシュ筋
６  防水絶縁シート
１１  手摺支柱基礎
１２  差し筋
１３  固定用アンカーボルト
１５  手摺支柱固定金具
１６  ナット
１７  支柱固定ボルト
２１  屋上手摺
２２  手摺支柱
２３  笠木
２４  手摺子
２５  横桟
２６  手摺控え
３１  手摺控え基礎
３５  手摺控え支持金具
３６  ナット
【図１】
2007255007.tif 000003
【図２】
2007255007.tif 000004
【図３】
2007255007.tif 000005
【図４】
2007255007.tif 000006
【図５】
2007255007.tif 000007
【図６】
2007255007.tif 000008